(57)【要約】【目的】  焼きつき防止専用の画像を用いることなしに焼きつき防止を図ることができるディジタル放送受信装置を提供する。【構成】  ディジタル放送受信装置３０はスケーラ／ＯＳＤ回路１２を備え、このスケーラ／ＯＳＤ回路１２によってＥＰＧ画面を作成する。ＣＰＵ１３は、メモリ１４内のデータベースを参照し、前回ＥＰＧ表示が行われた日付と今日の日付とが異なるどうかを判断する。日付が同一の場合にはデザイン切替不要と判断する。一方、日付が異なる場合にはデザイン切替が必要であると判断し、ＥＰＧデザインを変更する。ＥＰＧデザインの変更においては、前記データベースから各番組欄エリアの表示色履歴を参照し、各番組欄エリアごとに色を変更する。この色の変更においては、それまでの表示色履歴で使用頻度が少なかった色を選択するようにしている。【選択図】        図１
2005236521.tif 000002
【特許請求の範囲】
【請求項１】
ディスプレイに画像を表示させるオンスクリーンディスプレイ機能を備えるディジタル放送受信装置において、ユーザに対するガイドとなる特定画像が前回表示と今回表示とで色と輝度と位置の少なくとも一つについて相違することとなる場合が有るように前記オンスクリーンディスプレイ機能を制御する制御手段を有し、前記特定画像によってディスプレイの全画素が極力発光するように構成されたことを特徴とするディジタル放送受信装置。
【請求項２】
請求項１に記載のディジタル放送受信装置において、前記ディスプレイのＲ色画素群とＧ色画素群とＢ色画素群のいずれか一つの群全体を発光させることとし、他の二つの画素群の発光を制御することで、前記特定画像を表示することを特徴とするディジタル放送受信装置。
【請求項３】
請求項２に記載のディジタル放送受信装置において、前記特定画像の表示に際し、前記ディスプレイのＲ色画素群とＧ色画素群とＢ色画素群のいずれか一つの群全体を、最高輝度付近の輝度で発光させることを特徴とするディジタル放送受信装置。
【請求項４】
請求項１乃至請求項３のいずれかに記載のディジタル放送受信装置において、前記特定画像内の所定領域の発光輝度に関する情報を生成して記憶しておく手段を備え、発光程度が低い所定領域について今回の特定画像表示で発光輝度を高くする制御を行うように構成されたことを特徴とするディジタル放送受信装置。
【請求項５】
請求項１乃至請求項３のいずれかに記載のディジタル放送受信装置において、前記特定画像内の所定領域の発光輝度に関する情報を生成して記憶しておく手段を備え、発光程度が高い所定領域について今回の特定画像表示で発光輝度を低くする制御を行うように構成されたことを特徴とするディジタル放送受信装置。
【請求項６】
請求項１乃至請求項３のいずれかに記載のディジタル放送受信装置において、同一デザインの特定画像の表示時間を計測して記憶しておく手段を備え、表示時間が所定時間を越えた以降の次回表示で前記特定画像のデザインが変更されることを特徴とするディジタル放送受信装置。
【請求項７】
請求項１乃至請求項３のいずれかに記載のディジタル放送受信装置において、放送事業者ごとに異なるデザインの特定画像が登録されていることを特徴とするディジタル放送受信装置。
【請求項８】
請求項１乃至請求項３のいずれかに記載のディジタル放送受信装置において、日時及び／又は曜日を判定するカレンダ機能を備え、現在日時及び／又は曜日によって特定画像のデザインが変更されることを特徴とするディジタル放送受信装置。
【請求項９】
請求項１乃至請求項３のいずれかに記載のディジタル放送受信装置において、現在の日付を判定するカレンダ機能と、特定画像が表示された日付を保持する手段と、を備え、前回特定画像が表示された日付と今回特定画像の表示をするときの日付とが異なる場合に、前回特定画像とは異なるデザインの特定画像に変更されることを特徴とするディジタル放送受信装置。
【請求項１０】
請求項１乃至請求項３のいずれかに記載のディジタル放送受信装置において、前記特定画像内の所定領域の表示色に関する情報を生成して記憶しておく手段を備え、今回の特定画像の所定領域の色を前回とは異なる色とするように構成されたことを特徴とするディジタル放送受信装置。
【請求項１１】
請求項１乃至請求項１０のいずれかに記載のディジタル放送受信装置において、前記特定画像は、電子番組ガイド画像であることを特徴とするディジタル放送受信装置。
【請求項１２】
請求項１１に記載のディジタル放送受信装置において、電源ＯＮ時に電子番組ガイド画像を表示する設定が可能に構成されたことを特徴とするディジタル放送受信装置。
【発明の詳細な説明】
【技術分野】
【０００１】
この発明は、ディジタル放送を受信するディジタル放送受信装置に関する。
【背景技術】
【０００２】
衛星（ＣＳ，ＢＳ）や地上波を用いたディジタル放送を受信するディジタル放送受信装置は、専用のアンテナや地上波用アンテナを通して受け取った複数の放送波のなかから任意の放送波をチューナによって選択し、この選択した放送波に含まれる複数のチャンネルのなかから任意のチャンネルをデマルチプレクス処理によって選択し、この選択したチャンネルのディジタル信号を取り出し、これをデコードすることによって映像・音声信号を出力する。
【０００３】
かかるディジタル放送においては、番組に関する番組情報が映像と共に送られてきており、この番組情報を用いて受信装置が電子番組ガイド（以下、ＥＰＧと記す）を作成できるようになっている。ユーザは、ＥＰＧを表示することにより、現在放送中の番組やユーザの好みによって検索された番組の情報を確認することができる。２００３年より開始の地上波ディジタル放送でも同様に番組情報が送られる。ユーザによってＥＰＧが利用される時間（ＥＰＧが表示される時間）は今後一層増えると思われる。
【０００４】
ところで、ＰＤＰ（プラズマディスプレイパネル）などの自発光型フラットディスプレイは、静止画像などを表示した場合、長時間固定的に暗い部分と明るい部分が継続して表示され続けると焼き付き現象が生じ、パネルの発光特性に差が出るため残像が見える。
【０００５】
従来より、焼き付き防止のための特別な映像パターン（以下、焼き付き防止パターンと記す）を表示する機能や映像位置を数ドット移動して表示する機能などが放送受信装置に搭載されており、できるだけこの機能を使用することが推奨されている。焼き付き防止パターンは、一般にユーザ操作で表示頻度を設定できるようになっている（特許文献１、特許文献２参照）。
【特許文献１】特開平０８−１７９７２３号公報
【特許文献２】特開平１１−２７５４８３号公報
【発明の開示】
【発明が解決しようとする課題】
【０００６】
しかしながら、上記従来技術では、焼き付き防止パターンの生成モードに入ると、視聴中の番組が見られないという不満がある。また、映像位置を変更する方法では、数分ごとに映像位置が変更されるため、不自然な映像となり違和感が生じる。
【０００７】
この発明は、上記の事情に鑑み、焼きつき防止専用の画像を用いることなしに焼きつきを防止することができるディジタル放送受信装置を提供することを目的とする。
【課題を解決するための手段】
【０００８】
この発明のディジタル放送受信装置は、上記の課題を解決するために、ディスプレイに画像を表示させるオンスクリーンディスプレイ機能を備えるディジタル放送受信装置において、ユーザに対するガイドとなる特定画像が前回表示と今回表示とで色と輝度と位置の少なくとも一つについて相違することとなる場合が有るように前記オンスクリーンディスプレイ機能を制御する制御手段を有し、前記特定画像によってディスプレイの全画素が極力発光するように構成されたことを特徴とする。
【０００９】
上記の構成であれば、前記特定画像によってディスプレイの全画素がまんべんなく発光することになり、焼きつき防止が図れる。
【００１０】
上記のディジタル放送受信装置において、前記ディスプレイのＲ色画素群とＧ色画素群とＢ色画素群のいずれか一つの群全体を発光させることとし、他の二つの画素群の発光を制御することで、前記特定画像を表示するのがよい。また、前記特定画像の表示に際し、前記ディスプレイのＲ色画素群とＧ色画素群とＢ色画素群のいずれか一つの群全体を、最高輝度付近の輝度で発光させるのが望ましい。これによれば、前記特定画像によって各画素群の発光量が増大し、一定輝度状態に落ち着くのが早くなり、その後は残像が生じにくくなる。
【００１１】
上記のディジタル放送受信装置において、前記特定画像内の所定領域の発光輝度に関する情報を生成して記憶しておく手段を備え、発光程度が低い所定領域について今回の特定画像表示で発光輝度を高くする制御を行うように構成されていてもよい。また、前記特定画像内の所定領域の発光輝度に関する情報を生成して記憶しておく手段を備え、発光程度が高い所定領域について今回の特定画像表示で発光輝度を低くする制御を行うように構成されていてもよい。
【００１２】
また、上記ディジタル放送受信装置において、同一デザインの特定画像の表示時間を計測して記憶しておく手段を備え、表示時間が所定時間を越えた以降の次回表示で前記特定画像のデザインが変更されてもよい。かかる構成では、前記所定時間未満の場合、特定画像が前回表示と今回表示とで相違しない場合が有り得るものの、相違することは必ず生じることになり、画面の全画素が極力発光するようになる。
【００１３】
また、上記ディジタル放送受信装置において、放送事業者ごとに異なるデザインの特定画像が登録されていてもよい。かかる構成では、同一の放送事業者のチャンネル表示が同一の箇所で行われた場合は特定画像が前回表示と今回表示とで相違しないものの、相違することは必ず生じることになり、画面の全画素が極力発光するようになる。
【００１４】
また、上記ディジタル放送受信装置において、日時及び／又は曜日を判定するカレンダ機能を備え、現在日時及び／又は曜日によって特定画像のデザインが変更されてもよい。かかる構成では、例えば、毎月の第１日は第１デザインの特定画像、第２日は第２デザインの特定画像が表示されたり、毎週の月曜日は第１デザインの特定画像、火曜日は第２デザインの特定画像が表示されるといったことになる。
【００１５】
また、上記ディジタル放送受信装置において、前記特定画像内の所定領域の表示色に関する情報を生成して記憶しておく手段を備え、今回の特定画像の所定領域の色を前回とは異なる色とするように構成されていてもよい。かかる構成では、同一の日付内では特定画像が前回表示と今回表示とで相違しないものの、相違することは必ず生じることになり、画面の全画素が極力発光するようになる。
【００１６】
また、上記ディジタル放送受信装置において、前記特定画像内の所定領域の表示色を記憶しておく手段を備え、次回の特定画像表示で前記所定領域の色を変更するように構成されていてもよい。
【００１７】
また、上記ディジタル放送受信装置において、前記特定画像を電子番組ガイド画像とするのがよい。また、かかる構成において、電源ＯＮ時に電子番組ガイド画像を表示する設定が可能に構成されていてもよい。これによれば、前記特定画像が表示される機会が増え、焼きつきを防止する上で有効となる。
【発明の効果】
【００１８】
以上説明したように、この発明であれば、焼き付き防止パターンを生成するものではないので、視聴中の番組が見られないという不満は生じない。また、数分ごとに映像位置が変更されるものではないので、不自然な映像となり違和感が生じるといった不満もなく、焼き付き防止が図れるという効果を奏する。
【発明を実施するための最良の形態】
【００１９】
以下、この発明の実施形態を図１乃至図５に基づいて説明するが、ここではＢＳ（Ｂｒｏａｄｃａｓｔｉｎｇ  Ｓａｔｅｌｌｉｔｅ）ディジタル放送を受信する構成を例示している。図１はこの実施形態のディジタル放送受信装置３０を示したブロック図であり、図２乃至図４はＥＰＧ画面例を示した説明図であり、図５は制御例を示したフローチャートである。
【００２０】
アンテナ１は、屋外において所定の方向に向けて配置されており、ＢＳから送られてくるディジタル放送信号を受信する。このアンテナ１は一般に周波数変換器を備え、受信／周波数変換した信号をチューナ２に与える。
【００２１】
チューナ２は、映像・音声データを含む高周波ディジタル変調信号のうちから特定周波数の信号を取り出す。すなわち、ディジタル放送の複数のトランスポンダのなかから一つを選択する処理を行う。また、チューナ２は、復調回路、逆インタリーブ回路、誤り訂正回路などを備えることにより、選択したディジタル変調信号を復調してトランスポート・ストリームを出力する。
【００２２】
デマルチプレクサ（ＤＥＭＵＸ）３は、前記トランスポート・ストリームを、ＭＰＥＧ２（Ｍｏｖｉｎｇ  Ｐｉｃｔｕｒｅ  Ｅｘｐｅｒｔｓ  Ｇｒｏｕｐ２）のビデオストリーム、オーディオストリーム、およびＰＳＩ／ＳＩ（Ｐｒｏｇｒａｍ  Ｓｐｅｃｉｆｉｃ  Ｉｎｆｏｒｍａｔｉｏｎ／Ｓｅｒｖｉｃｅ  Ｉｎｆｏｒｍａｔｉｏｎ）等に分離する。デマルチプレクサ３は、ビデオストリームとオーディオストリームをＡＶデコーダ４に供給し、ＰＳＩ／ＳＩに含まれる番組情報（番組名、番組開始時刻、番組内容情報、番組ジャンル情報等）等をＣＰＵ１３に供給し、データ放送データをＢＭＬ（ＸＭＬ）ブラウザ２０に供給する。なお、前述のごとく、トランスポート・ストリームには複数のチャンネルが多重化されており、このなかから任意のチャンネルを選択するための処理は、前記ＰＳＩ／ＳＩから任意のチャンネルがトランスポート・ストリーム中でどのパケットＩＤで多重化されているかといったデータを取り出すことで可能となる。また、トランスポート・ストリームの選定（トランスポンダの選定）もＰＳＩ／ＳＩの情報に基づいて行うことができる。
【００２３】
ＡＶデコーダ４はビデオストリームに対してデコードを行うビデオデコーダ、オーディオストリームに対してデコードを行うオーディオデコーダを備える。ビデオデコーダは、入力された可変長符号を復号して量子化係数や動きベクトルを求め、逆ＤＣＴ変換や動きベクトルに基づく動き補償制御等を行う。オーディオデコーダは、入力された符号化信号を復号して音声データを生成する。映像データはスケーラ／ＯＳＤ回路１２を経て映像処理回路５に出力され、音声データは音声処理回路６に出力される。
【００２４】
映像処理回路５は、スケーラ／ＯＳＤ回路１２を経た映像データを受け取ってＤ／Ａ変換を行い、例えばコンポジット映像信号に変換する。音声処理回路６は、デコーダ４から出力された音声データを受け取ってＤ／Ａ変換を行い、例えば右（Ｒ）音のアナログ信号及び左（Ｌ）音のアナログ信号を生成する。
【００２５】
映像出力回路７及び音声出力回路８は出力抵抗や増幅器等を備えて成る。ＡＶ出力端子９には、出力部（左右音声出力端子等や映像出力端子等のセット）が設けられており、この出力部には、映像／音声コード１７によってプラズマディスプレイ１６ａ及びスピーカ１６ｂを備えるモニタ１６が接続される。
【００２６】
スケーラ／ＯＳＤ回路１２はブラウザ２０やＣＰＵ１３から出力指示された文字情報や色情報に基づく映像データを生成する回路であり、このスケーラ／ＯＳＤ回路１２により、番組情報に基づくＥＰＧ（Ｅｌｅｃｔｒｏｎｉｃ  Ｐｒｏｇｒａｍ  Ｇｕｉｄｅ）表示、データ放送表示、メニュー画面表示などが行えることになる。
【００２７】
リモコン送信機１０は、当該放送受信装置３０に指令を送出するための送信機である。このリモコン送信機１０に設けられた図示しないキーを操作すると、そのキーに対応した指令を意味する信号光（リモコン信号）が図示しない発光部から送出される。リモコン受光器１１は、前記信号光を受光し、これを電気信号に変換してＣＰＵ１３に与える。
【００２８】
メモリ（ＲＡＭ、ＥＥＰＲＯＭ、フラッシュメモリ、ＲＯＭ等）１４には、ＥＰＧ画面表示用の番組情報などが格納される。また、メモリ１４の不揮発性メモリには、ＥＰＧ画面のデザイン（表を成す線の色、枠内の色、番組名等の文字の色等、更には、これらの輝度等）を規定するデータが存在している。ＥＰＧ画面のデザインは複数登録されており、所定の条件下でデザインが変更される。また、このメモリ１４における不揮発性メモリには、前記ＥＰＧ画像内の所定領域の発光輝度に関する情報、前記所定領域で使用していた色の情報、各デザインのＥＰＧ画面が表示されることとなってからの表示時間（ＥＰＧデザインごとの表示時間）、各デザインのＥＰＧ画面が表示された日付、放送事業者と前記ＥＰＧデザインとの対応関係、日時及び／又は曜日と前記ＥＰＧデザインとの対応関係、チャンネル番号と色や輝度との関係、デザインの選択履歴、等が格納されるデータベースが存在する。なお、ＥＰＧ画像内の所定領域には、例えば、時間帯とチャンネル枠とが交差するところのエリアである各番組欄エリア、時間帯表示エリア、選択番組の詳細表示エリアなどがある。また、発光輝度に関する情報としては、単なる前回の輝度値（或いは高輝度かどうかの情報）、単なる前回の発光時間と輝度値（或いは高輝度かどうかの情報）との積算値、これまでのトータル的な発光時間と輝度値（或いは高輝度かどうかの情報）との積算値、等を用いることができる。また、色の情報としては、単なる前回の色、これまでの色の履歴、各色画素についての発光輝度に関する情報等を用いることができる。
【００２９】
ＣＰＵ１３は、このディジタル放送受信装置３０における全体制御を行うものであるが、特にこの発明にかかる制御として、以下に示すごとく、ＥＰＧ表示に関する制御を実行する。また、ＣＰＵ１３は図示しないカレンダ機能部を備える。
【００３０】
図２乃至図４はＥＰＧ画面を例示している。この例では、縦軸（ａ）を時間とし、横軸（ｂ）をチャンネルとし、（ｃ）のように番組情報を表示する形式を採用している。上部（ｄ）には現在選択中の番組（ｅ）の詳細情報を表示している。また、１０３チャンネルと１４１，１４２チャンネルの放送事業者が異なる場合を想定している。そして、図３及び図４は図２のＥＰＧ画面に対してデザインが変更されたＥＰＧ画面を示している。図４は図３の暗い領域を明るい領域に変化させ、明るい領域を暗い領域に変化させたものに相当する。ＥＰＧ画面における番組欄エリアの区切り線は暗い線とすることが多いため焼き付きが起きやすい。番組の区切りが明るくされたＥＰＧ画面が図３に示されている。
【００３１】
ここで、ＥＰＧ画面に対する制御の概要について説明する。この実施形態は、ＥＰＧ画面を利用してプラズマディスプレイ１６ａの焼き付き防止を図ることとしている。プラズマディスプレイ１６ａは累積発光量に応じて輝度が低下し、累積発光量が所定量を超えると、略一定の輝度に落ち着く。従って、前記一定の輝度に落ち着く前においては、各画素の累積発光量の差異は、同じ映像信号でも輝度の差異となって現れ易くなり、残像が認識され易い。このため、各画素の累積発光量をＥＰＧ画面を利用して増大させれば、前記一定の輝度に落ち着く状態が早い段階で得られることになり、その後は残像が生じにくくなる。また、上記のごとく、各画素の累積発光量の差異は、同じ映像信号でも輝度の差異となって現れ易くなるのであるから、ＥＰＧ画面を利用して各画素の累積発光量に差異があまり生じないようにするのがよい。
【００３２】
図５に処理内容の一例を示す。ＣＰＵ１３は、ＥＰＧ表示を行った場合、ＥＰＧ表示開始時間（現在時刻）を取得する（ステップＳ１）。ＥＰＧ表示開始時間は、今表示するＥＰＧの表示時間計測に利用される。ＥＰＧ表示は、放送受信装置の電源ＯＮによって行われる場合、或いはユーザによるＥＰＧ表示指示によって行われる場合がある。ＣＰＵ１３は、メモリ１４内のデータベースを参照し、前回ＥＰＧ表示が行われた日付と今日の日付とが異なるどうかを判断する（ステップＳ２）。日付が同一の場合にはデザイン切替不要と判断し（ステップＳ２でＮＯ）、ステップＳ４に進む。一方、日付が異なる場合にはデザイン切替が必要であると判断し（ステップＳ２でＹＥＳ）、ＥＰＧデザインを変更する（ステップＳ３）。なお、日付が同じでも、前回採用していたデザインによるＥＰＧ表示時間が規定時間を超えている場合にはデザイン切替を実行するようにしてもよい。
【００３３】
ＥＰＧデザインの変更においては、前記データベースから各番組欄エリアの表示色履歴を参照する。図３等に示したごとく、３つ分のチャンネル枠を表示するときには、３つの番組欄エリアが存在するとし、各番組エリアごとに色を変更する。この色の変更においては、それまでの表示色履歴で使用頻度が少なかった色を選択するようにしている。そして、この選択したＥＰＧデザインを用いてＥＰＧを表示する（ステップＳ４）。また、ユーザによってＥＰＧがスクロールされたことを各番組欄エリアにおける色変更とみなし（ステップＳ５でＹＥＳ）、各番組欄エリアの色と当該色の表示時間を履歴情報としてメモリ１４のＲＡＭに記録する（ステップＳ６）。なお、ＥＰＧをスクロールさせることで番組欄の位置が変化し、この位置変化によってディスプレイ上の所定領域の色が変化することになり、Ｒ色画素とＧ色画素とＢ色画素の全てがまんべんなく発光することになる。ユーザ操作等によってＥＰＧの非表示が指示されると（ステップＳ７でＹＥＳ）、ＥＰＧを非表示とする（ステップＳ８）。そして、前記ＲＡＭに記録した履歴情報をメモリ１４の不揮発性メモリに記録する（ステップＳ９）。
【００３４】
なお、各番組欄エリアが高輝度で表示された時間を管理する（履歴情報とする）こととしてもよい。すなわち、各番組欄エリアにおいて、色は変化させずに（白と黒の反転は有り得る）、輝度のみを変化させる。高輝度かどうかは、基準輝度を設定しておいて、この基準輝度と前記エリアの輝度との比較で行えばよい。この場合の処理例は、以下のルールに基づく。
【００３５】
ここで、図２に示したＥＰＧ画面を基準とすると、
ルール１．図２で低輝度の部分を高輝度にする。
ルール２．図２で高輝度の部分を低輝度にする。
ルール３．低輝度で表示される部分をできるだけなくす。
【００３６】
ルール１，２は、プラズマディスプレイが購入されて数年の間、輝度が低下しやすい特性があり、低輝度の画素に比べ高輝度で発光した画素の輝度特性がより落ちるため、画素ごとの発光時間をできるだけ同じにしたいこという理由による。ルール１とルール２を共に満足させるためには、発光程度が低い領域について今回の特定画像表示で発光輝度を高くする制御を行い、発光程度が高い領域について今回の特定画像表示で発光輝度を低くするようにすればよい。ルール３を採用することには以下の意義がある。前述したごとく、各画素の累積発光量を増大させれば前記一定の輝度に落ち着く状態が早い段階で得られることになり、その後は残像が生じにくくなる。従って、ＥＰＧ画面において低輝度で表示される部分をできるだけなくすのがよい（ＥＰＧ画面は極力明るい画面とする）。
【００３７】
ＥＰＧ画面を単に明るい画面とする（Ｒ色画素とＧ色画素とＢ色画素の全てについて輝度を上げる）のではなく、或る色画素に特化した高輝度化処理を行うこととしてもよいものである。例えば、Ｒ色画素群とＧ色画素群とＢ色画素群の一つの画素群全体について最高輝度付近の輝度で発光を行わせると共に他の二つの色画素群の発光を制御してＥＰＧ画面を作成すればよい。Ｒ色画素群全体を最高輝度付近の輝度で発光させた場合、その画面では黒色やシアン色系の色は得られないが、その他の色は生成可能であり、これらの色でＥＰＧ画面を作成すればよい。また、前回においてＲ色画素群全体を最高輝度付近の輝度で発光させたのなら、今回においてＧ色画素群全体を最高輝度付近の輝度で発光させることとするのがよい。
【００３８】
また、放送事業者ごとに異なる色（デザイン）を設定しておき、前記各番組欄エリアの色が放送事業者によって決まることとしてもよい。また、日時及び／又は曜日を判定するカレンダ機能を用い、現在日時及び／又は曜日によってＥＰＧ画像のデザインが変更されるようにしてもよい。
【００３９】
また、上記の例ではＥＰＧ表示を利用した焼き付き防止を示したが、チャンネル番号表示画像（画面右上の箇所等に表示されるチャンネル番号（数字））、検索結果表示画像（例えば、ジャンル検索結果画像等）において、同様なデザイン変更処理を行うこととしてもよい。チャンネル番号表示画像については、前回と今回で位置をずらすように処理してもよい。また、放送受信装置の電源ＯＮによってＥＰＧ表示を行う設定がなされている場合（図５のステップＳ１参照）は、ＥＰＧ表示の機会が増えることになり、焼き付き防止効果が高くなる。また、スクロールの頻度を計測し、スクロールの頻度が低い場合には、ＥＰＧデザイン切替のための条件、例えば、前回採用していたデザインによるＥＰＧ表示時間に対する規定時間を短くするといった制御を行ってもよい。
【図面の簡単な説明】
【００４０】
【図１】この発明の実施形態のディジタル放送受信装置を示したブロック図である。
【図２】ＥＰＧ画面例を示した説明図である。
【図３】ＥＰＧ画面例を示した説明図である。
【図４】ＥＰＧ画面例を示した説明図である。
【図５】処理内容を示したフローチャートである。
【符号の説明】
【００４１】
１    アンテナ
２    ＢＳディジタルチューナ
３    デマルチプレクサ（ＤＥＭＵＸ）
４    ＡＶデコーダ
１２  スケーラ／ＯＳＤ回路
１３  ＣＰＵ
１４  メモリ
【図１】
2005236521.tif 000003
【図２】
2005236521.tif 000004
【図３】
2005236521.tif 000005
【図４】
2005236521.tif 000006
【図５】
2005236521.tif 000007